(57)【特許請求の範囲】
【請求項１】
異なるネットワークに接続可能な移動端末装置と、該移動端末装置が接続された移動先のネットワークに設置されたフォーリンエージェント装置と、該移動端末装置の初期登録が行われた移動元のネットワークに設置されたホームエージェント装置と、該移動端末装置の通信料金の課金を伴なうパケット通信サービスの利用に対する認証課金サービスをサポートするために該移動端末装置の初期登録が行われた移動元のネットワークに設置された所定のＡＡＡプロトコルに従うＡＡＡサーバ装置とからなる移動通信システムであって、
前記フォーリンエージェント装置は、前記移動端末装置宛のパケット及び前記移動端末装置からのパケットを中継する中継手段を具備し、
前記ホームエージェント装置は、前記移動端末装置宛のパケットを前記フォーリンエージェント装置を介して、前記移動端末装置に転送する転送手段を具備し、
前記移動端末装置は、前記パケット通信サービス以外の課金に関係する所望のサービス内容のサービスに対して必要な認証課金要求を前記ＡＡＡサーバ装置宛に送信する送信手段を具備し、
前記ＡＡＡサーバ装置は、前記移動端末装置から前記認証課金要求を受信し、この認証課金要求に基づいて前記移動端末装置の認証及び課金を行う認証課金手段とを具備し、
前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれることを特徴とする移動通信システム。
【請求項２】
Ｍｏｂｉｌｅ  ＩＰプロトコルに従う移動端末装置のパケット転送サービスをサポートするために該移動端末装置のホームネットワークに設置されたホームエージェント装置および該移動端末装置の移動先ネットワークに設置されたフォーリンエージェント装置、ならびに該移動端末装置のパケット通信サービス利用に対する認証課金サービスをサポートするために該移動端末装置のホームネットワークに設置された所定のＡＡＡプロトコルに従うＡＡＡＨサーバ装置および該移動端末装置の移動先ネットワークに設置された所定のＡＡＡプロトコルに従うＡＡＡＦサーバ装置とを含む移動通信システムであって、
前記ＡＡＡＦサーバ装置は、自サーバ装置の属するネットワークに移動してきた前記移動端末装置のパケット通信サービス利用に対する課金を要求する認証課金要求を前記ＡＡＡＨサーバ装置へ送信する手段を備え、
前記移動端末装置は、課金に関係する所望のサービス内容のサービスの提供を要求する認証課金要求を前記ＡＡＡＨサーバ装置へ送信する手段を備え、
前記ＡＡＡＨサーバ装置は、
前記移動端末装置のユーザ毎に請求すべき通信料金に関する情報を記録するための情報記録手段と、
前記ＡＡＡＦサーバ装置から前記認証課金要求を受信した場合に、該認証課金要求に含まれる認証情報に基づき認証に成功したと判断されたときに、該認証課金要求に含まれる課金に関する情報に基づいて前記情報記録手段に該当する移動端末装置のユーザについて前記請求すべき通信料金に関する情報を記録する第１の処理手段と、
前記移動端末装置から前記認証課金要求を受信した場合に、該認証課金要求に含まれる認証情報に基づき認証に成功したと判断されたときに、該認証課金要求に含まれる前記所望のサービス内容を示す情報に基づいて前記課金に関係するサービスを提供するための処理を行う第２の処理手段とを備え、
前記第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該支払価額に基づいて前記情報記録手段に該当する移動端末装置のユーザについて前記請求すべき通信料金に関する情報を記録するとともに、該他者への金銭支払いの手続きのための処理を行うことを特徴とする移動通信システム。
【請求項３】
前記ＡＡＡＨサーバ装置の第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該他者の端末装置に対する認証課金サービスをサポートする他のＡＡＡサーバ装置へ、前記要求元移動端末装置の当該要求に関する情報を通知するための処理を更に行うことを特徴とする請求項２に記載の移動通信システム。
【請求項４】
前記ＡＡＡＨサーバ装置の第２の処理手段は、前記所望のサービス内容が、前記他者へ支払うべき金銭の価額に関する情報を取得するサービスである場合には、該情報を提供する装置から該情報を取得して、前記要求元端末装置へ転送することを特徴とする請求項２に記載の移動通信システム。
【請求項５】
Ｍｏｂｉｌｅ  ＩＰプロトコルに従う移動端末装置であって、
自端末装置のホームネットワークに設置されたホームエージェント装置および移動先ネットワークに設置されたフォーリンエージェント装置によるＭｏｂｉｌｅ  ＩＰに従うパケット転送サービスを受けるための処理を行う移動ＩＰ処理手段と、
自端末装置のホームネットワークに設置され、自端末装置の前記ホームエージェント装置への移動登録要求に関する処理を行うとともに、自端末装置の通信料金の課金を伴なうパケット通信サービスの利用に対する認証課金サービスをサポートする、所定のＡＡＡプロトコルに従うＡＡＡＨサーバ装置に対して、前記パケット通信サービス以外の課金に関係する所望のサービス内容のサービスの提供を受けるための処理を行うＡＡＡ処理手段とを備え、
前記所望のサービス内容のサービスには、少なくとも、前記ＡＡＡサーバ装置による他者への金銭支払いの手続きおよび該支払い価額を自端末装置のユーザ自身の前記通信料金へ付け替える手続きを必要とするサービスが含まれることを特徴とする移動端末装置。
【請求項６】
前記ＡＡＡ処理手段は、ＡＡＡＨサーバ装置に対して、他者への金銭支払いの手続きおよび該支払い価額を自端末装置のユーザ自身の前記通信料金へ付け替える手続きを行うサービスを要求するための処理を行うことを特徴とする請求項５に記載の移動端末装置。
【請求項７】
前記ＡＡＡ処理手段は、ＡＡＡＨサーバ装置に対して、前記他者へ支払うべき金銭の価額に関する情報を取得するサービスを要求するための処理を行うことを特徴とする請求項５に記載の移動端末装置。
【請求項８】
Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金の課金を伴なうパケット通信サービスの利用に対する認証課金サービスをサポートする、所定のＡＡＡプロトコルに従うＡＡＡＨサーバ装置であって、
前記移動端末装置から、前記パケット通信サービス以外の課金に関係する所望のサービス内容のサービスに対して必要な認証課金要求を受信する受信手段と、
前記受信手段により前記移動端末装置から受信した前記認証課金要求に基づいて、該移動端末装置の認証及び課金を行う認証課金手段とを具備し、
前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれることを特徴とするＡＡＡＨサーバ装置。
【請求項９】
Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金に関する情報の管理を行う、所定のＡＡＡプロトコルに従うＡＡＡＨサーバ装置であって、
前記移動端末装置の移動先の前記他のネットワークに設置された所定のＡＡＡプロトコルに従うＡＡＡＦサーバ装置から、該移動端末装置のパケット通信サービス利用に対する課金を要求する認証課金要求を受信した場合に、該認証課金要求に含まれる認証情報に基づき認証に成功したと判断されたときに、該認証課金要求に含まれる課金に関する情報に基づいて前記情報記録手段に該当する移動端末装置のユーザについて前記請求すべき通信料金に関する情報を記録する第１の処理手段と、
前記他のネットワークに移動した前記移動端末装置から、課金に関係する所望のサービス内容のサービスの提供を要求する認証課金要求を受信した場合に、該認証課金要求に含まれる認証情報に基づき認証に成功したと判断されたときに、該認証課金要求に含まれる前記所望のサービス内容を示す情報に基づいて前記課金に関係するサービスを提供するための処理を行う第２の処理手段とを備え、
前記第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該支払価額に基づいて前記情報記録手段に該当する移動端末装置のユーザについて前記請求すべき通信料金に関する情報を記録するとともに、該他者への金銭支払いの手続きのための処理を行うことを特徴とするＡＡＡＨサーバ装置。
【請求項１０】
前記第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該他者の端末装置に対する認証課金サービスをサポートする他のＡＡＡサーバ装置へ、前記要求元移動端末装置の当該要求に関する情報を通知するための処理を更に行うことを特徴とする請求項９に記載のＡＡＡＨサーバ装置。
【請求項１１】
前記第２の処理手段は、前記所望のサービス内容が、前記他者へ支払うべき金銭の価額に関する情報を取得するサービスである場合には、該情報を提供する装置から該情報を取得して、前記要求元端末装置へ転送することを特徴とする請求項９に記載のＡＡＡＨサーバ装置。
【請求項１２】
異なるネットワークに接続可能な移動端末装置と、該移動端末装置が接続された移動先のネットワークに設置されたフォーリンエージェント装置と、該移動端末装置の初期登録が行われた移動元のネットワークに設置されたホームエージェント装置と、該移動端末装置の通信料金の課金を伴なうパケット通信サービスの利用に対する認証課金サービスをサポートするために該移動端末装置の初期登録が行われた移動元のネットワークに設置された所定のＡＡＡプロトコルに従うＡＡＡサーバ装置とからなる移動通信システムにおける認証課金サービス提供方法であって、
前記移動端末装置は、前記パケット通信サービス以外の課金に関係する所望のサービス内容のサービスに対して必要な認証課金要求を前記ＡＡＡサーバ装置宛に送信するステップと、
前記ＡＡＡサーバ装置は、前記移動端末装置から前記認証課金要求を受信し、この認証課金要求に基づいて前記移動端末装置の認証及び課金を行うステップとを有し、
前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれることを特徴とする認証課金サービス提供方法。
【請求項１３】
Ｍｏｂｉｌｅ  ＩＰプロトコルに従う移動端末装置のパケット転送サービスをサポートするために該移動端末装置のホームネットワークに設置されたホームエージェント装置および該移動端末装置の移動先ネットワークに設置されたフォーリンエージェント装置、ならびに該移動端末装置のパケット通信サービス利用に対する認証課金サービスをサポートするために該移動端末装置のホームネットワークに設置された所定のＡＡＡプロトコルに従うＡＡＡＨサーバ装置および該移動端末装置の移動先ネットワークに設置された所定のＡＡＡプロトコルに従うＡＡＡＦサーバ装置とを含む移動通信システムにおける認証課金サービス提供方法であって、
前記移動端末装置から前記ＡＡＡＨサーバ装置へ、課金に関係する所望のサービス内容のサービスの提供を要求する認証課金要求を送信し、
前記ＡＡＡＨサーバ装置は、前記移動端末装置から前記認証課金要求を受信した場合に、該認証課金要求に含まれる認証情報に基づき認証に成功したと判断されたときに、該認証課金要求に含まれる前記所望のサービス内容を示す情報に基づいて前記課金に関係するサービスを提供するための処理を行い、
前記ＡＡＡＨサーバ装置から前記移動端末装置へ、前記認証課金要求に対応して行った処理の結果を示す応答を送信することを特徴とする認証課金サービス提供方法。
【請求項１４】
Ｍｏｂｉｌｅ  ＩＰプロトコルに従う移動端末装置における認証課金サービス享受方法であって、
自端末装置のホームネットワークに設置されたホームエージェント装置および移動先ネットワークに設置されたフォーリンエージェント装置によるＭｏｂｉｌｅ  ＩＰに従うパケット転送サービスを受けるための処理を行うステップと、
自端末装置のホームネットワークに設置され、自端末装置の前記ホームエージェント装置への移動登録要求に関する処理を行うとともに、自端末装置の通信料金の課金を伴なうパケット通信サービスの利用に対する認証課金サービスをサポートする、所定のＡＡＡプロトコルに従うＡＡＡサーバ装置に対して、前記パケット通信サービス以外の課金に関係する所望のサービス内容のサービスの提供を受けるための処理を行うステップとを有し、
前記所望のサービス内容のサービスには、少なくとも、前記ＡＡＡサーバ装置による他者への金銭支払いの手続きおよび該支払い価額を自端末装置のユーザ自身の前記通信料金へ付け替える手続きを必要とするサービスが含まれることを認証課金サービス享受方法。
【請求項１５】
Ｍｏｂｉｌｅ  ＩＰプロトコルに従う移動端末装置としてコンピュータを機能させるためのプログラムを記録したコンピュータ読取り可能な記録媒体であって、
自端末装置のホームネットワークに設置されたホームエージェント装置および移動先ネットワークに設置されたフォーリンエージェント装置によるＭｏｂｉｌｅ  ＩＰに従うパケット転送サービスを受けるための処理を行う機能と、
自端末装置のホームネットワークに設置され、自端末装置の前記ホームエージェント装置への移動登録要求に関する処理を行うとともに、自端末装置の通信料金の課金を伴なうパケット通信サービスの利用に対する認証課金サービスをサポートする、所定のＡＡＡプロトコルに従うＡＡＡサーバ装置に対して、前記パケット通信サービス以外の課金に関係する所望のサービス内容のサービスの提供を受けるための処理を行う機能とを実現させるためのものであるとともに、
前記所望のサービス内容のサービスには、少なくとも、前記ＡＡＡサーバ装置による他者への金銭支払いの手続きおよび該支払い価額を前記自端末装置のユーザ自身の前記通信料金へ付け替える手続きを必要とするサービスが含まれるものであることを特徴とするプログラムを記録したコンピュータ読取り可能な記録媒体。
【請求項１６】
Ｍｏｂｉｌｅ  ＩＰプロトコルに従う移動端末装置としてコンピュータを機能させるためのプログラムであって、
自端末装置のホームネットワークに設置されたホームエージェント装置および移動先ネットワークに設置されたフォーリンエージェント装置によるＭｏｂｉｌｅ  ＩＰに従うパケット転送サービスを受けるための処理を行う機能と、
自端末装置のホームネットワークに設置され、自端末装置の前記ホームエージェント装置への移動登録要求に関する処理を行うとともに、自端末装置の通信料金の課金を伴なうパケット通信サービスの利用に対する認証課金サービスをサポートする、所定のＡＡＡプロトコルに従うＡＡＡサーバ装置に対して、前記パケット通信サービス以外の課金に関係する所望のサービス内容のサービスの提供を受けるための処理を行う機能とを実現させるためのものであるとともに、
前記所望のサービス内容のサービスには、少なくとも、前記ＡＡＡサーバ装置による他者への金銭支払いの手続きおよび該支払い価額を自端末装置のユーザ自身の前記通信料金へ付け替える手続きを必要とするサービスが含まれるものであることを特徴とするプログラム。
【請求項１７】
Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金の課金を伴なうパケット通信サービスの利用に対する認証課金サービスをサポートする、所定のＡＡＡプロトコルに従うＡＡＡＨサーバ装置としてコンピュータを機能させるためのプログラムを記録したコンピュータ読取り可能な記録媒体であって、
前記移動端末装置から、前記パケット通信サービス以外の課金に関係する所望のサービス内容のサービスに対して必要な認証課金要求を受信するための機能と、
前記受信手段により前記移動端末装置から受信した前記認証課金要求に基づいて、該移動端末装置の認証及び課金を行うための機能とを実現させるためのものであるとともに、
前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれるものであることを特徴とするプログラムを記録したコンピュータ読取り可能な記録媒体。
【請求項１８】
Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金の課金を伴なうパケット通信サービスの利用に対する認証課金サービスをサポートする、所定のＡＡＡプロトコルに従うＡＡＡＨサーバ装置としてコンピュータを機能させるためのプログラムであって、
前記移動端末装置から、前記パケット通信サービス以外の課金に関係する所望のサービス内容のサービスに対して必要な認証課金要求を受信するための機能と、
前記受信手段により前記移動端末装置から受信した前記認証課金要求に基づいて、該移動端末装置の認証及び課金を行うための機能とを実現させるためのものであるとともに、
前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれるものであることを特徴とするプログラム。
【請求項１９】
Ｍｏｂｉｌｅ  ＩＰプロトコルに従う移動端末装置の状態を検知した、該移動端末装置の初期登録が行われた移動元のネットワークに設置されたホームエージェント装置又は所定のＡＡＡプロトコルに従うＡＡＡサーバ装置は、該移動端末装置の状態を示す情報を、該移動端末装置の情報を提供するＷＷＷサーバ装置へ通知するステップと、
前記移動端末装置の状態を示す情報を受信した前記ＷＷＷサーバ装置は、自装置が提供する、該移動端末装置に対応するＷＷＷページにおける、該移動端末装置に対応する所定の表示内容の表示形態を、通知された前記状態に対応する表示形態に更新するステップとを有し、
前記状態には、少なくとも、前記移動端末装置がホームネットワークにいる第1の状態、前記移動端末装置が移動先ネットワークにいる第２の状態、及び前記移動端末装置がいずれのネットワークにもいない第3の状態があり、
前記ホームエージェント装置又は前記ＡＡＡサーバ装置は、前記移動端末装置から送信されてきた移動登録要求に基づいて前記第1の状態又は前記第2の状態を検知し、前記第2の状態を検知した後に前記移動端末装置から生存時間内に移動登録要求が送信されてこなかったことに基づいて前記第3の状態を検知することを特徴とする移動端末装置情報提供方法。
【請求項２０】
第１の端末装置からＭｏｂｉｌｅ  ＩＰプロトコルに従う移動端末装置である第２の端末装置への呼接続処理を行うのに先だって、該第１の端末装置から該第２の端末装置へ、該第１の端末装置が該第２の端末装置のものとして認識しているホスト名又はホスト名とユーザ名の組を含む確認要求を送信し、
前記確認要求を受信した前記第２の端末装置は、受信した該確認要求に含まれる前記ホスト名又は前記ホスト名及びユーザ名の組と、自端末装置が保持するホスト名又はホスト名及びユーザ名の組とを比較し、それらが一致した場合には肯定を示す応答を、それらが一致しなかった場合には否定を示す応答を、前記第１の端末装置へ返送し、
前記第１の端末装置は、前記第２の端末装置から前記肯定を示す応答を受信した場合に、自端末から第２の端末装置への呼接続処理を開始することを特徴とする相手端末確認方法。
【発明の詳細な説明】
【０００１】
【発明の属する技術分野】
本発明は、Ｍｏｂｉｌｅ  ＩＰプロトコルに従う移動端末装置、移動端末装置をサポートするＡＡＡサーバ装置、それらを含む移動通信システム、移動通信システムにおける認証課金サービス提供方法、移動端末装置における認証課金サービス享受方法、移動端末装置に関する情報を提供するための移動端末装置情報提供方法及び相手端末を確認するための相手端末確認方法に関する。
【０００２】
【従来の技術】
（１）従来の移動端末の認証課金システムとしては、ＩＥＴＦ  ＡＡＡワーキング・グループで提案されている認証課金システムがある。この認証課金システムは、ＡＡＡ（Ａｕｔｈｅｎｔｉｃａｔｉｏｎ（認証），  Ａｕｔｈｏｒｉｚａｔｉｏｎ（認可）  ａｎｄ  Ａｃｃｏｕｎｔｉｎｇ（課金））プロトコルとして、その一種であるＤＩＡＭＥＴＥＲプロトコル（インターネット・ドラフトのｄｒａｆｔ−ｃａｌｈｏｕｎ−ｄｉａｍｅｔｅｒ−ｍｏｂｉｌｅｉｐ−０９．ｔｘｔ、Ｊｕｌｙ、２０００）を採用し、ＡＡＡ機能を有するＡＡＡサーバを用いて、ＩＥＴＦ  Ｍｏｂｉｌｅ  ＩＰプロトコル（ＲＦＣ−２００２）の移動端末に対する認証や課金等の処理を行うものである。ＡＡＡを認証課金処理に用いようとしているシステムの一例としては、北米版第３世代携帯電話システム（３ＧＰＰ２）等がある。
【０００３】
しかしながら、これまでに提案されている認証課金システムは、パケット通信自体に対する課金を行うための認証課金システムであり、これを移動端末上で発生した他の用途のための認証課金として利用することはできなかった。
【０００４】
（２）次に、図２３を参照しながら、従来のＩＰ電話システムについて説明する。
【０００５】
従来のＩＰ電話システムでは、ＩＰ端末（ユーザ端末）２９０１上のユーザが、通信したい相手と、ＩＰ電話を用いて通信を開始する場合には、相手の使用しているＩＰ端末（相手端末）２９０３のホスト名およびまたはＩＰアドレスを知っている場合は、そのホスト名またはＩＰアドレスを用いて、相手のＩＰ端末２９０３へ、直接、呼設定要求を送ることができる。
【０００６】
また、通信したい相手が使用しているＩＰ端末２９０３のホスト名およびＩＰアドレスがわからない場合には、例えば、図２３のようにディレクトリ・サーバ２９０２を用いて、相手の名前（例えば、相手の姓名）をキーとして検索し、相手が使用しているＩＰ端末２９０３のホスト名およびまたはＩＰアドレスを検索し、検索結果を用いて、相手の使用しているＩＰ端末２９０３へ、呼接続要求を送る手順になる。
【０００７】
さらに、通信したい相手の使用しているＩＰ端末２９０３が、ＩＥＴＦ  Ｍｏｂｉｌｅ  ＩＰプロトコル（ＲＦＣ−２００２）のサービスを受ける移動端末である場合には、ディレクトリ・サーバ２９０２上の相手のＩＰ端末２９０３の登録情報としてそのホームネットワークにおけるホームＩＰアドレスを登録しておけば、相手のＩＰ端末２９０３がホームネットワークではなく移動先のネットワークにいるケースにおいても、該ホームＩＰアドレスへ送信された呼接続要求は、移動先のＩＰ端末２９０３まで到達することができる。すなわち、ディレクトリ・サーバ２９０２を用いた検索の結果、相手の使用しているＩＰ端末２９０３の登録情報がわかり、該ホームＩＰアドレスに送信された呼接続要求パケットは、Ｍｏｂｉｌｅ  ＩＰによる移動サポート機構によって、ＩＰ端末２９０３のホームネットワークのホーム・エージェントを経由して、移動先のネットワークにいる目的のＩＰ端末まで、フォワードされる。
【０００８】
しかし、上記したディレクトリ・サーバを用いた相手端末の検索方法は、コマンド・ベースのインターフェースであり、一般のユーザにとっては、わかりにくいインターフェースであった。
【０００９】
そこで、一般のユーザにとって、わかりやすいインターフェースにするため、例えば、ＷＷＷページにアイコンを作成し、そのＵＲＬに、例えば、
ｓｉｐｐ：／／ｈｏｓｔ．ｎｅｔｗｏｒｋ．ｃｏｍ
のようにホスト名を指定しておくと、ユーザは、上記アイコンをクリックするだけで、ユーザ端末上のＳＩＰ（Ｓｅｓｓｉｏｎ  Ｉｎｉｔｉａｔｉｏｎ  Ｐｒｏｔｏｃｏｌ，  ＲＦＣ−２５４３）が起動し、ＵＲＬで指定されたホスト名（この例では、“ｈｏｓｔ．ｎｅｔｗｏｒｋ．ｃｏｍ”）のＩＰ端末に対し、呼接続要求パケットを送信することが可能であり、一般のユーザに対しても、わかりやすいインターフェースを提供することができる。
【００１０】
しかしながら、相手端末がＭｏｂｉｌｅ  ＩＰを使う移動端末の場合には、ＷＷＷページに上記のようなアイコンを作っても、例えば、相手端末がＭｏｂｉｌｅ  ＩＰを使用していて通信可能な状態なのか、それともネットワークに接続されていない状態で通信することができない状態なのかなどについては、アイコンを見ただけではわからず、必ずしもユーザにわかりやすいインターフェースにはならない。
【００１１】
（３）また、Ｍｏｂｉｌｅ  ＩＰを用いた場合において、移動端末からそのホーム・エージェントに対する移動登録要求（ｒｅｇｉｓｔｒａｔｉｏｎ  ｒｅｑｕｅｓｔ）によって登録された移動先のＩＰアドレス（ｃａｒｅ−ｏｆ  ａｄｄｒｅｓｓ）については、その生存時間（Ｌｉｆｅ  Ｔｉｍｅ）が設定されるが、生存時間が経過するまで必ず当該登録された移動先のＩＰアドレスに該移動端末が存在している保証はなく、生存時間が経過する以前に、他のＩＰアドレスに移動している可能性もある。
【００１２】
従って、生存時間が経過する以前に該移動端末が他のＩＰアドレスに移動してしまい、当該登録されたＩＰアドレスは該移動端末とは異なる他の端末が使用しているような場合もあり得る。
【００１３】
この場合においては、当該登録されたＩＰアドレスに対して呼接続要求を送信すると、目的としない他の端末に対して、呼接続要求が届くことになり、問題が発生する。
【００１４】
【発明が解決しようとする課題】
従来のＭｏｂｉｌｅ  ＩＰを使う端末に適用する認証課金システムは、パケット通信の認証課金を行うために設計されたシステムであり、例えば、移動端末上で発生した認証課金（例えば、買い物代金のクレジット支払いのための認証課金）に使うことはできなかった。
【００１５】
また、ＷＷＷページにアイコンを作成して、アイコンをクリックするだけで、ＩＰ電話を使えるようにした従来のシステムにおいて、相手端末がＭｏｂｉｌｅＩＰを使う端末である場合に、相手端末がＭｏｂｉｌｅ  ＩＰを使用して通信可能な状態にあるのか、それとも通信可能な状態にないのかなどについて知ることができなかった。
【００１６】
また、相手端末がＭｏｂｉｌｅ  ＩＰを使う端末の場合に、移動先のＩＰアドレスが登録された後に生存時間が経過するまで、該相手端末が当該登録されたＩＰアドレスを使っているとは限らず、生存時間が経過する前に移動している可能性があり、さらには、相手端末が移動した後に他の端末が当該登録されたＩＰアドレスを使用しているケースでは、呼接続要求を他の端末に送ってしまう結果になるという問題がある。
【００１７】
本発明は、上記事情を考慮してなされたもので、種々の目的でＭｏｂｉｌｅ  ＩＰプロトコルに従う移動端末装置が所定のＡＡＡプロトコルに従うＡＡＡサーバ装置による認証課金サービスを利用することができるようにした、移動端末装置、ＡＡＡサーバ装置、移動通信システム、認証課金サービス提供方法、認証課金サービス享受方法を提供することを目的とする。
【００１８】
また、本発明は、Ｍｏｂｉｌｅ  ＩＰプロトコルに従う移動端末装置の状態に関する情報を提供することを可能とする移動端末装置情報提供方法を提供することを目的とする。
【００１９】
また、本発明は、相手端末がＭｏｂｉｌｅ  ＩＰプロトコルに従う移動端末装置でも呼接続処理に先だって相手端末を確認することを可能とする相手端末確認方法を提供することを目的とする。
【００２０】
【課題を解決するための手段】
本発明は、異なるネットワークに接続可能な移動端末装置と、該移動端末装置が接続された移動先のネットワークに設置されたフォーリンエージェント装置と、該移動端末装置の初期登録が行われた移動元のネットワークに設置されたホームエージェント装置と、該移動端末装置の通信料金の課金を伴なうパケット通信サービスの利用に対する認証課金サービスをサポートするために該移動端末装置の初期登録が行われた移動元のネットワークに設置された所定のＡＡＡプロトコルに従うＡＡＡサーバ装置とからなる移動通信システムであって、前記フォーリンエージェント装置は、前記移動端末装置宛のパケット及び前記移動端末装置からのパケットを中継する中継手段を具備し、前記ホームエージェント装置は、前記移動端末装置宛のパケットを前記フォーリンエージェント装置を介して、前記移動端末装置に転送する転送手段を具備し、前記移動端末装置は、前記パケット通信サービス以外の課金に関係する所望のサービス内容のサービスに対して必要な認証課金要求を前記ＡＡＡサーバ装置宛に送信する送信手段を具備し、前記ＡＡＡサーバ装置は、前記移動端末装置から前記認証課金要求を受信し、この認証課金要求に基づいて前記移動端末装置の認証及び課金を行う認証課金手段とを具備し、前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれることを特徴とする。
【００２１】
また、本発明は、Ｍｏｂｉｌｅ  ＩＰプロトコルに従う移動端末装置のパケット転送サービスをサポートするために該移動端末装置のホームネットワークに設置されたホームエージェント装置および該移動端末装置の移動先ネットワークに設置されたフォーリンエージェント装置、ならびに該移動端末装置のパケット通信サービス利用に対する認証課金サービスをサポートするために該移動端末装置のホームネットワークに設置された所定のＡＡＡプロトコルに従うＡＡＡＨサーバ装置および該移動端末装置の移動先ネットワークに設置された所定のＡＡＡプロトコルに従うＡＡＡＦサーバ装置とを含む移動通信システムであって、前記ＡＡＡＦサーバ装置は、自サーバ装置の属するネットワークに移動してきた前記移動端末装置のパケット通信サービス利用に対する課金を要求する認証課金要求を前記ＡＡＡＨサーバ装置へ送信する手段を備え、前記移動端末装置は、課金に関係する所望のサービス内容のサービスの提供を要求する認証課金要求を前記ＡＡＡＨサーバ装置へ送信する手段を備え、前記ＡＡＡＨサーバ装置は、前記移動端末装置のユーザ毎に請求すべき通信料金に関する情報を記録するための情報記録手段と、前記ＡＡＡＦサーバ装置から前記認証課金要求を受信した場合に、該認証課金要求に含まれる認証情報に基づき認証に成功したと判断されたときに、該認証課金要求に含まれる課金に関する情報に基づいて前記情報記録手段に該当する移動端末装置のユーザについて前記請求すべき通信料金に関する情報を記録する第１の処理手段と、前記移動端末装置から前記認証課金要求を受信した場合に、該認証課金要求に含まれる認証情報に基づき認証に成功したと判断されたときに、該認証課金要求に含まれる前記所望のサービス内容を示す情報に基づいて前記課金に関係するサービスを提供するための処理を行う第２の処理手段とを備え、前記第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該支払価額に基づいて前記情報記録手段に該当する移動端末装置のユーザについて前記請求すべき通信料金に関する情報を記録するとともに、該他者への金銭支払いの手続きのための処理を行うことを特徴とする。
【００２２】
好ましくは、前記ＡＡＡＨサーバ装置の第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該他者の端末装置に対する認証課金サービスをサポートする他のＡＡＡサーバ装置へ、前記要求元移動端末装置の当該要求に関する情報を通知するための処理を更に行うようにしてもよい。
【００２３】
好ましくは、前記ＡＡＡＨサーバ装置の第２の処理手段は、前記所望のサービス内容が、前記他者へ支払うべき金銭の価額に関する情報を取得するサービスである場合には、該情報を提供する装置から該情報を取得して、前記要求元端末装置へ転送するようにしてもよい。
【００２４】
本発明は、Ｍｏｂｉｌｅ  ＩＰプロトコルに従う移動端末装置であって、自端末装置のホームネットワークに設置されたホームエージェント装置および移動先ネットワークに設置されたフォーリンエージェント装置によるＭｏｂｉｌｅ  ＩＰに従うパケット転送サービスを受けるための処理を行う移動ＩＰ処理手段と、自端末装置のホームネットワークに設置され、自端末装置の前記ホームエージェント装置への移動登録要求に関する処理を行うとともに、自端末装置の通信料金の課金を伴なうパケット通信サービスの利用に対する認証課金サービスをサポートする、所定のＡＡＡプロトコルに従うＡＡＡＨサーバ装置に対して、前記パケット通信サービス以外の課金に関係する所望のサービス内容のサービスの提供を受けるための処理を行うＡＡＡ処理手段とを備え、前記所望のサービス内容のサービスには、少なくとも、前記ＡＡＡサーバ装置による他者への金銭支払いの手続きおよび該支払い価額を自端末装置のユーザ自身の前記通信料金へ付け替える手続きを必要とするサービスが含まれることを特徴とする。
【００２５】
本発明は、Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金の課金を伴なうパケット通信サービスの利用に対する認証課金サービスをサポートする、所定のＡＡＡプロトコルに従うＡＡＡＨサーバ装置であって、前記移動端末装置から、前記パケット通信サービス以外の課金に関係する所望のサービス内容のサービスに対して必要な認証課金要求を受信する受信手段と、
前記受信手段により前記移動端末装置から受信した前記認証課金要求に基づいて、該移動端末装置の認証及び課金を行う認証課金手段とを具備し、前記所望のサービス内容のサービスには、少なくとも、前記ＡＡＡサーバ装置による他者への金銭支払いの手続きおよび該支払い価額を前記移動端末装置のユーザ自身の前記通信料金へ付け替える手続きを必要とするサービスが含まれることを特徴とする。
【００２６】
また、本発明は、Ｍｏｂｉｌｅ  ＩＰプロトコルに従う移動端末装置のホームネットワークに設置され、他のネットワークへ移動した該移動端末装置からの移動登録要求に関する処理を行うとともに、該移動端末装置の通信料金に関する情報の管理を行う、所定のＡＡＡプロトコルに従うＡＡＡＨサーバ装置であって、前記移動端末装置の移動先の前記他のネットワークに設置された所定のＡＡＡプロトコルに従うＡＡＡＦサーバ装置から、該移動端末装置のパケット通信サービス利用に対する課金を要求する認証課金要求を受信した場合に、該認証課金要求に含まれる認証情報に基づき認証に成功したと判断されたときに、該認証課金要求に含まれる課金に関する情報に基づいて前記情報記録手段に該当する移動端末装置のユーザについて前記請求すべき通信料金に関する情報を記録する第１の処理手段と、前記他のネットワークに移動した前記移動端末装置から、課金に関係する所望のサービス内容のサービスの提供を要求する認証課金要求を受信した場合に、該認証課金要求に含まれる認証情報に基づき認証に成功したと判断されたときに、該認証課金要求に含まれる前記所望のサービス内容を示す情報に基づいて前記課金に関係するサービスを提供するための処理を行う第２の処理手段とを備え、前記第２の処理手段は、前記所望のサービス内容が、他者への金銭支払いの手続きおよび該支払い価額を当該要求元移動端末装置のユーザ自身の前記通信料金へ付け替える手続きを行うサービスである場合には、該支払価額に基づいて前記情報記録手段に該当する移動端末装置のユーザについて前記請求すべき通信料金に関する情報を記録するとともに、該他者への金銭支払いの手続きのための処理を行うことを特徴とする。
【００２７】
本発明は、Ｍｏｂｉｌｅ  ＩＰプロトコルに従う移動端末装置の状態を検知した、該移動端末装置の初期登録が行われた移動元のネットワークに設置されたホームエージェント装置又は所定のＡＡＡプロトコルに従うＡＡＡサーバ装置は、該移動端末装置の状態を示す情報を、該移動端末装置の情報を提供するＷＷＷサーバ装置へ通知するステップと、前記移動端末装置の状態を示す情報を受信した前記ＷＷＷサーバ装置は、自装置が提供する、該移動端末装置に対応するＷＷＷページにおける、該移動端末装置に対応する所定の表示内容の表示形態を、通知された前記状態に対応する表示形態に更新するステップとを有し、前記状態には、少なくとも、前記移動端末装置がホームネットワークにいる第1の状態、前記移動端末装置が移動先ネットワークにいる第２の状態、及び前記移動端末装置がいずれのネットワークにもいない第3の状態があり、前記ホームエージェント装置又は前記ＡＡＡサーバ装置は、前記移動端末装置から送信されてきた移動登録要求に基づいて前記第1の状態又は前記第2の状態を検知し、前記第2の状態を検知した後に前記移動端末装置から生存時間内に移動登録要求が送信されてこなかったことに基づいて前記第3の状態を検知することを特徴とする。
【００２８】
また、本発明に係る相手端末確認方法は、第１の端末装置からＭｏｂｉｌｅ  ＩＰプロトコルに従う移動端末装置である第２の端末装置への呼接続処理を行うのに先だって、該第１の端末装置から該第２の端末装置へ、該第１の端末装置が該第２の端末装置のものとして認識しているホスト名又はホスト名とユーザ名の組を含む確認要求を送信し、前記確認要求を受信した前記第２の端末装置は、受信した該確認要求に含まれる前記ホスト名又は前記ホスト名及びユーザ名の組と、自端末装置が保持するホスト名又はホスト名及びユーザ名の組とを比較し、それらが一致した場合には肯定を示す応答を、それらが一致しなかった場合には否定を示す応答を、前記第１の端末装置へ返送し、前記第１の端末装置は、前記第２の端末装置から前記肯定を示す応答を受信した場合に、自端末から第２の端末装置への呼接続処理を開始することを特徴とする。
【００２９】
なお、装置のカテゴリーに係る本発明は対応する方法のカテゴリーに係る発明としても成立し、方法のカテゴリーに係る本発明は対応する装置のカテゴリーに係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読取り可能な記録媒体としても成立する。
【００３０】
本発明では、移動端末上に、ＤＩＡＭＥＴＥＲ等の、ＡＡＡ処理を行うことのできる機能を持ち、移動端末上のＡＡＡ処理機能（ＡＡＡＭ）と移動先のＡＡＡ処理機構（ＡＡＡＦ）との間、または、移動端末上のＡＡＡ処理機能（ＡＡＡＭ）とホームネットワークのＡＡＡ処理機構（ＡＡＡＨ）との間で、必要に応じて通信を行って、認証課金処理を行う。本発明では、例えば、移動端末上で、買い物代金のクレジット支払いが発生した場合、移動端末上のＡＡＡ機能（ＡＡＡＭ）は、必要に応じて、移動先のＡＡＡ機能（ＡＡＡＦ）や、ホームネットワークのＡＡＡ機能（ＡＡＡＨ）とメッセージを交換し、ＤＩＡＭＥＴＥＲ等のＡＡＡプロトコルに従って、認証課金処理を行うことができる。本発明によれば、移動端末装置において、種々の目的でＭｏｂｉｌｅ  ＩＰプロトコルに従う移動端末装置が所定のＡＡＡプロトコルに従うＡＡＡサーバ装置による認証課金サービスを利用することができるようになる。
【００３１】
また、本発明では、例えば、移動端末は移動先のネットワークに接続した場合にＭｏｂｉｌｅ  ＩＰプロトコルに従ってホーム・エージェントもしくはＡＡＡＨサーバに移動登録要求を送信し、移動端末からフォーリン・エージェント等を経由して移動登録要求（ｒｅｇｉｓｔｒａｔｉｏｎ  ｒｅｑｕｅｓｔ）を受信したホーム・エージェントもしくはＡＡＡＨサーバは、該要求を受理できる場合に受理し、移動端末の状態更新情報を、予め設定されたＷＷＷサーバに通知し、移動端末の状態更新情報を受信した、ＷＷＷサーバは、該当するＷＷＷページのアイコンの形状を、予め個々の状態に応じて登録された形状に変更する。移動端末の登録状態は、例えば、「ホームネットワーク上」、「移動先のネットワーク上」、「生存時間切れ」等である。そして、例えば、ユーザ端末からＷＷＷページの転送を要求された場合、変更された形状のアイコンを含むＷＷＷページを、ユーザ端末に送信し、ユーザ端末上のＷＷＷブラウザでは、ＷＷＷページを、ＷＷＷサーバから更新した場合、この更新されたアイコン形状を見ることができる。
【００３２】
また、本発明では、ユーザ端末が、通信したい相手端末に対し、呼接続要求やデータ・パケットを送信する前に、相手端末に対し、ホスト名（とユーザ名）の確認を要求するパケットを送信する機能と、確認要求パケットを受信した場合、送られて来たホスト名（とユーザ名）と、自分のホスト名（とユーザ名）を比較し、合っている場合は、合っている旨を、合っていない場合は、合っていない旨を、通知する応答パケットを作成し、送信する機能と、上記応答パケットを受信した場合、目的とするホスト名（とユーザ名）の確認が取れた場合は、呼接続要求、または、データ・パケットを送信し、確認が取れなかった場合は、エラー・メッセージを出力するか、もしくは、他の適切な処理を行う機能を持つ。本発明では、ユーザ端末は、通信したい相手端末に対し、呼接続要求を送る前に、相手端末が本当に通信したい端末かどうか確認をするために、ホスト名（とユーザ名）の確認要求パケットを送る。この確認要求パケットを受信した端末は、自分のホスト名（とユーザ名）を比較し、合致している場合は、確認ＯＫパケットを送り返す。合致していない場合は、確認ＮＧパケットを送り返す。ユーザ端末は、確認ＯＫパケットを受信した場合にのみ、次の処理である呼設定要求処理に移ることができる。
【００３３】
【発明の実施の形態】
以下、図面を参照しながら発明の実施の形態を説明する。
【００３４】
（第１の実施形態）
本発明の第１の実施形態について説明する。
【００３５】
図１に、本実施形態に係る通信システムのネットワーク構成例を示す。
【００３６】
通信システムは、音声や動画像やデータなどのパケット転送を扱うものであってもよいし、ＩＰ電話やその他のアプリケーションを扱うものであってもよい。
【００３７】
図中、１００１〜１００３は、ＩＰサブネットワークであり、所定のネットワーク（例えば、インターネット）１０００を介して相互に接続される。なお、このネットワークのデータリンクレイヤは、全て有線ネットワークでもよいし、一部に無線ネットワークが入ってもよい。例えば、移動端末が携帯端末であってもよい。
【００３８】
移動端末１０１０は、サブネットワーク１００１をホームネットワークとする、Ｍｏｂｉｌｅ  ＩＰにおける移動端末機能（Ｍｏｂｉｌｅ  ＩＰ処理部）と、ＡＡＡ（Ａｕｔｈｅｎｔｉｃａｔｉｏｎ，  Ａｕｔｈｏｒｉｚａｔｉｏｎ  ａｎｄ  Ａｃｃｏｕｎｔｉｎｇ）（例えば、ＤＩＡＭＥＴＥＲ、あるいはＲＡＤＩＵＳ）を利用した課金サービス（他の端末のユーザへの代金の支払い手続きと、その支払代金の自身への通信料の請求分への付け替え手続きを行うサービス等）を受けるための機能（ＡＡＡＭ）（ＡＡＡ処理部）を有する端末である。図２に、移動端末１０１０の構成例を示す。図２に示されるように、移動端末１０１０は、Ｍｏｂｉｌｅ  ＩＰ処理部（移動ＩＰ処理部）１１０１、ＡＡＡ処理部１１０２を備え、さらに、図示しないＴＣＰ／ＩＰ通信処理機能、通信インタフェース、記憶装置、入出力装置、例えばインターネット上のサービスを受けるためのソフト、例えば、情報を入手したり、電子店舗で購入を行ったりするためのブラウザ・ソフトや、電子メール・ソフト等の実行機能などを必要に応じて備える。
【００３９】
ホーム・エージェント（Ｈｏｍｅ  Ａｇｅｎｔ）１０１１は、サブネットワーク１００１に設置された、Ｍｏｂｉｌｅ  ＩＰにおけるホーム・エージェント機能を有するサーバである。
【００４０】
ＡＡＡＨサーバ（ＡＡＡ  Ｈｏｍｅ）１０１２は、サブネットワーク１００１に設置された、Ｍｏｂｉｌｅ  ＩＰでのＡＡＡ（例えば、ＤＩＡＭＥＴＥＲ、あるいはＲＡＤＩＵＳ）におけるＡＡＡ機能（ホームネットワークにおける機能）を有するサーバである。図３に、ＡＡＡＨサーバ１０１２の構成例を示す。図３に示されるように、ＡＡＡＨサーバ１０１２は、Ｍｏｂｉｌｅ  ＩＰ／ＡＡＡ処理部（移動ＩＰ・ＡＡＡ処理部）１２０１、料金データベース記憶部１２０２を備え、さらに、図示しないＴＣＰ／ＩＰ通信処理機能、通信インタフェース、記憶装置、入出力装置などを必要に応じて備える。図４に、料金データベース記憶部１２０２に記憶される料金データベースの構成例を示す。図４に示されるように、料金データベースは、ユーザＩＤ（移動端末）をキーとして管理されるもので、各移動端末に対するユーザＩＤと、各々の発生した料金（ユーザＩＤのユーザに請求する料金）と、その発生した料金の内容に関する情報（例えば、料金の発生した年月日、通信料金と代金付け替えの区別、通信料金の場合の通信内容（例えば通信時間あるいはパケット数あるいはバイト数など）、代金付け替えの場合の代金支払の相手方（さらに購入商品に関する情報等を含めてもよい））とを含む（ユーザＩＤに加えてまたはユーザＩＤの代わりに移動端末を特定する識別情報を含んでもよい）（内容のフィールドには、データの代わりにデータへのポインタを記述するようにしてもよい）。なお、通信料と、通信料に付け替えられた電子店舗等における購入代金等は、所定の期間毎に、ユーザ毎に総計されて請求手続きがとられる（請求書発送、自動引き落として続き等）。
【００４１】
フォーリン・エージェント（Ｆｏｒｅｉｇｎ  Ａｇｅｎｔ）１０２１は、サブネットワーク１００２に設置された、Ｍｏｂｉｌｅ  ＩＰにおけるフォーリン・エージェント機能を有するサーバである。
【００４２】
ＡＡＡＦサーバ（ＡＡＡ  Ｆｏｒｅｉｇｎ）１０２２は、サブネットワーク１００２に設置された、Ｍｏｂｉｌｅ  ＩＰでのＡＡＡ（例えば、ＤＩＡＭＥＴＥＲ、あるいはＲＡＤＩＵＳ）におけるＡＡＡ機能（フォーリンネットワークにおける機能）を有するサーバである。図５に、ＡＡＡＦサーバ１０２２の構成例を示す。図５に示されるように、ＡＡＡＦサーバ１０２２は、Ｍｏｂｉｌｅ  ＩＰ／ＡＡＡ処理部（移動ＩＰ・ＡＡＡ処理部）１３０１、パケット情報処理部１３０２を備え、さらに、図示しないＴＣＰ／ＩＰ通信処理機能、通信インタフェース、記憶装置、入出力装置などを必要に応じて備える。
【００４３】
端末１０３０は、サブネットワーク１００３に接続された端末（サーバ装置でもよい）であり、ＡＡＡ（例えば、ＤＩＡＭＥＴＥＲ、あるいはＲＡＤＩＵＳ）を利用した課金サービスを受けるための機能（ＡＡＡ処理部）（ＡＡＡｘ）を有する端末である。端末１０３０は、その他、ＴＣＰ／ＩＰ通信処理機能、通信インタフェース、記憶装置、入出力装置、例えばインターネット上のサービスを受けるあるいは提供するための機能などを必要に応じて備える。
【００４４】
ＡＡＡｙサーバ１０３２は、サブネットワーク１００３に設置された、Ｍｏｂｉｌｅ  ＩＰでのＡＡＡ（例えば、ＤＩＡＭＥＴＥＲ、あるいはＲＡＤＩＵＳ）におけるＡＡＡ機能（ホームネットワークにおける機能）を有するサーバである。
【００４５】
図６に、移動端末１０１０の要求発生時の手順の一例を示す。ネットワークを移動して接続したサブネットにおける１回目に相当する移動登録要求が発生した場合には（ステップＳ１）、ＡＡＡＨサーバ１０１２を最終宛先として移動登録要求パケットを送信する（移動ＩＰ処理部１１０１）（ステップＳ２）。２回目に相当する移動登録要求が発生した場合には（ステップＳ３）、ホーム・エージェント１０１１を最終宛先として移動登録要求パケットを送信する（移動ＩＰ処理部１１０１）（ステップＳ２）。所望の内容の認証課金要求が発生した場合には（ステップＳ５）、ＡＡＡＨサーバ１０１２を最終宛先として認証課金要求パケットを送信する（ＡＡＡ処理部１１０２）（ステップＳ６）。認証課金要求パケットは、当該所望の内容を示す情報が記述される。その他の場合には、発生した要求に対応する処理を行う（ステップＳ７）。
【００４６】
なお、移動端末１０１０は、自端末が送信した要求パケットに対する応答パケットを受信した場合に、該応答パケットの内容を表示したり、さらに表示内容に対するユーザの確認あるいは選択が必要である場合には、ユーザの確認あるいは選択を受け付け、該確認あるいは選択の結果を必要に応じて該当する装置へ送信するようにしてもよい。
【００４７】
図７に、ＡＡＡＨサーバ１０１２の要求受信時の手順の一例を示す。移動端末を送信元とする移動登録要求（１回目の移動登録要求）パケットを受信した場合には（ステップＳ１１）、詳しくは後述するように移動登録要求に対応する処理を行う（移動ＩＰ・ＡＡＡ処理部１２０１）（ステップＳ１２）。ＡＡＡＦサーバ１０２２から移動端末の通信料の認証課金要求パケットを受信した場合には（ステップＳ１３）、料金データベース記憶部１２０２に必要な情報を記録する（移動ＩＰ・ＡＡＡ処理部１２０１）（ステップＳ１４）。移動端末から所望の認証課金要求パケットを受信した場合には（ステップＳ１５）、詳しくは後述するように、例えば、他のＡＡＡＨサーバとのやり取りを通じて、その所望の要求に応じたサービスを提供する（移動ＩＰ・ＡＡＡ処理部１２０１）（ステップＳ１６）。その他の場合には、受けた要求に対応する処理を行う（ステップＳ１７）。図８に、ＡＡＡＨサーバ１０１２が移動端末から所望の認証課金要求パケットを受信した場合の手順の一例を示す。例えば、課金に関する情報を取得する要求に対しては（ステップ２１）、該当する他のＡＡＡＨサーバから課金情報を取得して、これを要求元の移動端末に送信し（ステップ２２）、また、例えば、電子店舗における商品購入の代金を通信料に付け替える要求に対しては（ステップ２３）、料金データベース記憶部１２０２に必要な情報を記録するとともに、商品購入の代金を通信料に付け替えた旨を該当する他のＡＡＡＨサーバへ通知し（ステップ２４）、その他の要求の場合には、要求内容に応じた処理を行う（ステップ２５）。その他の要求として、例えば、一旦、電子店舗における商品購入の代金を通信料に付け替えた後の取消、解除あるいは撤回をサポートする場合に、決済取消要求などを受けたときに、料金データベース記憶部１２０２に記録した該当する情報のフィールドを無効にする。
【００４８】
図９に、ＡＡＡＦサーバ１０２２の移動端末に対する通信料課金処理の手順の一例を示す。移動端末を送信元とする移動登録要求（１回目の移動登録要求）パケットを受信すると、該移動登録要求パケットをＡＡＡＨサーバ１０１２に転送するとともに、送信元の移動端末のパケット通信量（例えば、通信時間、パケット数、あるいはバイト数など）に関する記録処理を始める（ステップＳ３１）。ただし、実際の通信の監視は、フォーリン・エージェント１０２１が行い、その結果を、ＡＡＡＦサーバ１０２２に（適当な間隔でまたは当該通信終了後に）通知する。そして、ＡＡＡＦサーバ１０２２は、当該移動端末に通信料に関する認証課金要求パケットを（適当な間隔でまたは当該通信終了後に）ＡＡＡＨサーバ１０１２に転送する（ステップＳ３２）。
【００４９】
さて、既存のＡＡＡ機能は、移動端末の通信料の記録を行うためのものであるが、本実施形態では、ＡＡＡ機能を利用して、移動端末から要求された場合に商品購入に対する支払代金を通信料に付け替えるサービス等の認証課金サービスを提供することを可能にしたものである。以下では、移動端末１０１０に対して課金サービスの相手方となる端末１０３０は、例えばインターネットで電子店舗を提供する事業者側の端末あるいはサーバ（店舗端末あるいは店舗サーバ）であり、移動端末１０１０は、ユーザ（顧客）側の端末であり、ユーザが電子店舗から購入した商品の代金を通信料に付け替える手続きを、ＡＡＡ機能を利用して電子的に行う場合を例にとって説明する。なお、図１の例では、端末１０３０は固定端末であり、かつ、移動端末１０１０のホームネットワークと端末１０３０の属するネットワークとは異なり、かつ、移動端末１０１０が端末１０３０の属するネットワークとは異なるネットワークに移動する場合を例にとって説明する。
【００５０】
最初に、移動登録要求に関して説明する。
【００５１】
移動端末１０１０は、移動先のネットワーク１００２に接続したときに、ＡＡＡＨサーバ１０１２を最終宛先として移動登録要求を行う。移動登録要求によって、Ｍｏｂｉｌｅ  ＩＰの移動登録手続きが行われるとともに、ＡＡＡの通信料金の記録のための手続きが行われる。なお、移動先のネットワーク１００２からホーム・ネットワーク１００１に戻って接続したときにも、ＡＡＡＨサーバ１０１２（またはホーム・エージェント１０１１）に対して移動登録要求を行う。
【００５２】
以下、図１０、図１１、図１２を参照しながら、移動端末１０１０の移動登録および認証課金について説明する。図１０は、図１から移動登録要求に関係する部分を抜き出して記述したものである。図１１は、移動登録／認証課金のための手順の一例である。図１２は、図１１の手順におけるＩＰパケット・フォーマット例を示したものであり、（ａ）はＳ１０１のＩＰパケット（ＩＰヘッダ（ＩＰｈｅａｄｅｒ）、アドバタイズメント（ａｄｖｅｒｔｉｓｅｍｅｎｔ）、チャレンジ（ｃｈａｌｌｅｎｇｅ）を含む）、（ｂ）はＳ１０２〜Ｓ１０４のパケット（ＩＰヘッダ、登録要求情報（ｒｅｇｉｓｔｒａｔｉｏｎ）、ＮＡＩ、チャレンジ、ｍｎ−ａａａ  ａｕｔｈを含む）、（ｃ）はＳ１０７、Ｓ１１０のパケット（ＩＰヘッダ、登録要求情報、ｍｏｂｉｌｅ−ｈｏｍｅ  ａｕｔｈ、チャレンジ、ｍｏｂｉｌｅ−ｆｏｒｅｉｇｎ  ａｕｔｈを含む）、（ｄ）はＳ１０８、Ｓ１０９のパケット（ＩＰヘッダ、登録要求情報、ｍｏｂｉｌｅ−ｈｏｍｅ  ａｕｔｈ、チャレンジを含む）をそれそれ示したものである。
【００５３】
さて、フォーリン・エージェント１０２１は、周期的に同一サブネットに対し、Ｍｏｂｉｌｅ  ＩＰプロトコルのアドバタイズメントと呼ばれるＩＰパケットを送信している（Ｓ１０１）。このアドバタイズメント・パケットには、チャレンジ（ｃｈａｌｌｅｎｇｅ）と呼ばれる部分がある（ｃｈａｌｌｅｎｇｅフィールドには、例えば、乱数が記述されている）。
【００５４】
移動端末１０１０は、アドバタイズメント・パケットを受信した場合、当該受信したアドバタイズメント・パケットと、それ以前に受信していたアドバタイズメント・パケットとを比較し、サブネットのＩＰアドレスが変わったと判断されたとき、サブネットの移動を検知し、Ｍｏｂｉｌｅ  ＩＰプロトコルの移動登録を行うために、すなわちフォーリン・エージェント１０２１から提供されるケアオブアドレス（例えば、ＦＡケアオブアドレス（Ｆｏｒｅｉｇｎ  Ａｇｅｎｔ  ｃａｒｅ−ｏｆ  ａｄｄｒｅｓｓ）またはＤＨＣＰ等で得られるコロケイティッド・ケアオブアドレス（ｃｏ−ｌｏｃａｔｅｄ  ｃａｒｅ−ｏｆ  ａｄｄｒｅｓｓ））を、ホーム・エージェント１０１１に登録するために、該アドレスを含む移動登録要求パケットを、フォーリン・エージェント１０２１へ送る（Ｓ１０２）。
【００５５】
なお、移動端末１０１０から送信される移動登録要求パケット（ｒｅｇｉｓｔｒａｔｉｏｎ  ｒｅｑｕｅｓｔ）には、ＮＡＩ（Ｎｅｔｗｏｒｋ  ＡｃｃｅｓｓＩｄｅｎｔｉｆｉｅｒ）と呼ばれる識別情報（例えば、電子メールアドレス）や、認証情報を含むＭＮ−ＡＡＡ認証拡張部分が格納されているものとする。
【００５６】
フォーリン・エージェント１０２１は、上記移動登録要求パケットを受信した場合、新規の移動登録要求に対しては、ｃｈａｌｌｌｅｎｇｅフィールドを検査し、フォーリン・エージェント１０２１自身が送ったｃｈａｌｌｅｎｇｅの値かどうかチェックし、フォーリン・エージェント１０２１自身が送ったｃｈａｌｌｅｎｇｅの値であると判断されるとき、上記移動登録要求パケットを、該サブネットの通信料に関する認証課金処理を行うＡＡＡＦサーバ１０２２へ送る（Ｓ１０３）。
【００５７】
ＡＡＡＦサーバ１０２２は、上記移動登録要求パケットを受信した場合、新規の移動登録要求に対しては、新たにエントリを作成し、上記移動登録要求パケットを、ＡＡＡＨサーバ１０１２へと転送する（Ｓ１０４）。なお。ＡＡＡＦサーバ１０２２は、移動登録要求パケットに格納されているＮＡＩから移動端末１０１０のホームネットワークのＡＡＡＨサーバ１０１２を特定することができる。
【００５８】
ＡＡＡＨサーバ１０１２は、上記移動登録要求パケットを受信した場合、そのパケットのＭＮ−ＡＡＡ  ａｕｔｈと呼ばれる部分をチェックし、このチェックの結果、認証が成功したと判断されたとき、移動端末１０１０のエントリを作成し、移動端末１０１０が使用するホームＩＰアドレスを作成し、移動端末１０１０とホーム・エージェント１０１１との間で使用する第１の鍵と、移動端末１０１０とフォーリン・エージェント１０２１との間で使用する第２の鍵とを作成し、ホーム・エージェント１０１１に対しては、それらホームＩＰアドレスと第１の鍵を含む移動登録要求パケットを送信するとともに（Ｓ１０５）、それらホームＩＰアドレスと第１の鍵と第２の鍵を含む移動登録応答パケットを移動端末１０１０に返送する（Ｓ１０６）。
【００５９】
ホーム・エージェント１０１１や移動端末１０１０は、ＡＡＡＨサーバ１０１２からの上記パケットに基づいて、必要な登録や設定を行う。これによって、移動端末１０１０は、Ｍｏｂｉｌｅ  ＩＰの移動端末として通信可能になるとともに、通信料の課金処理が行われる。
【００６０】
さて、移動登録要求パケットには、ライフタイム（生存期間）が記述される。Ｍｏｂｉｌｅ  ＩＰを用いた通信を継続するためには、移動端末１０１０は、ライフタイムが切れる前に、２回目以降の移動登録要求パケットを、ホーム・エージェント１０１１へ送信する。
【００６１】
この２回目以降の移動登録要求については、移動端末１０１０は、上記のＳ１０６で得られた、ホームＩＰアドレスと、ホーム・エージェント１０１１との間の第１の鍵と、フォーリン・エージェント１０２１との間の第２の鍵を用いて、移動登録要求パケットを作成し、フォーリン・エージェント１０２１へと送信する（Ｓ１０７）。
【００６２】
フォーリン・エージェント１０２１は、上記２回目以降の移動登録要求パケットを受信した場合、ｍｏｂｉｌｅ−ｆｏｒｅｉｇｎ  ａｕｔｈと呼ばれる部分をチェックし、このチェックの結果、認証が成功したと判断されたとき、ｍｏｂｉｌｅ−ｆｏｒｅｉｇｎ  ａｕｔｈの部分を削除した移動登録要求パケットを、ホーム・エージェント１０１１へと送る（Ｓ１０８）。
【００６３】
ホーム・エージェント１０１１は、上記の移動登録要求パケットを受信した場合、ｍｏｂｉｌｅ−ｈｏｍｅ  ａｕｔｈと呼ばれる部分をチェックし、このチェックの結果、認証が成功したと判断されたとき、Ｍｏｂｉｌｅ  ＩＰを用いた転送処理のライフタイム（生存期間）を延長するとともに、ホーム・エージェント１０１１と移動端末１０１０との間の第１の鍵を用いて、新たなｍｏｂｉｌｅ−ｈｏｍｅ  ａｕｔｈと呼ばれる認証に使用するデータを付加した移動登録応答パケットを作成し、フォーリン・エージェント１０２１へと転送する（Ｓ１０９）。
【００６４】
フォーリン・エージェント１０２１は、上記の移動登録応答パケットを受信した場合、フォーリン・エージェント１０２１と移動端末１０１０との間の第２の鍵を用いて、新たなｍｏｂｉｌｅ−ｆｏｒｅｉｇｎ  ａｕｔｈと呼ばれる認証に使用するデータを付加した移動登録応答パケットを作成し、移動端末１０１０へと転送する（Ｓ１１０）。
【００６５】
移動端末１０１０は、上記の移動登録応答パケットを受信した場合、ホーム・エージェント１０１１との間の第１の鍵を用いて、ｍｏｂｉｌｅ−ｈｏｍｅ  ａｕｔｈと呼ばれる部分の認証データのチェックを行うとともに、フォーリン・エージェント１０２１との間の第２の鍵を用いて、ｍｏｂｉｌｅ−ｆｏｒｅｉｇｎａｕｔｈと呼ばれる部分の認証データのチェックを行う。認証データのチェックが成功し、かつ、ホーム・エージェント１０１１からの応答コードが移動登録の成功を示す場合は、移動端末１０１０は、移動登録要求が成功したと認識する。
【００６６】
なお、上記において、フォーリン・エージェント１０２１とホーム・エージェント１０１１との間で、予め鍵を共有している場合は、その鍵を用いて、ｆｏｒｅｉｇｎ−ｈｏｍｅ  ａｕｔｈと呼ばれる認証データをパケットに付加したり、認証データをチェックして削除したりしてもよい。
【００６７】
次に、移動端末が認証課金サービスを要求する場合について説明する。
【００６８】
前述したような手続きによって移動登録要求が受け入れられた場合、移動端末１０１０は、Ｍｏｂｉｌｅ  ＩＰを用いた通信が可能となる。
【００６９】
ここでは、この後、端末１０３０と移動端末１０１０との間に、認証課金処理が発生した場合を例にとって説明する。この場合、図１３に示すように（図１３は、図１と同じ構成の図である）、移動端末１０１０の認証課金情報を管理しているのが、ＡＡＡＨサーバ１０１２であり、商店の認証課金情報を管理しているのが、ＡＡＡｙサーバ１０３２であり、ＡＡＡＨサーバ１０１２とＡＡＡｙサーバ１０３２との間で認証課金処理を行うのが目的となる。
【００７０】
概略的には、移動端末１０１０は、まず、移動端末１０１０上のＡＡＡ機能（ＡＡＡ処理部１１０２）を用いて、直接またはＡＡＡＦサーバ１０２２を経由して（図１３では、ＡＡＡＦサーバ１０２２を経由する場合を示している）、ＡＡＡＨサーバ１０１２に、ＡＡＡｙサーバ１０３２に対して認証課金処理を行うことを（要求パケットによって）要求する。要求を受信したＡＡＡＨサーバ１０１２は、ＡＡＡｙサーバ１０３２とメッセージをやりとりして、認証課金処理を行う。認証課金処理が終了した場合、処理結果は、ＡＡＡＨサーバ１０１２から、直接またはＡＡＡＦサーバ１０２２を経由して、移動端末１０１０上のＡＡＡ機能に伝えられ、ユーザは、結果を確認することができる。また、処理結果は、ＡＡＡｙサーバ１０３２からも、商店側のＡＡＡ機能に伝えられるので、商店側も結果を確認することができる。
【００７１】
なお、上記した例においては、移動端末１０１０のＡＡＡ処理部１１０２には、ＡＡＡ機能として、ＤＩＡＭＥＴＥＲ等のＡＡＡ機能をフルにサポートしてもよいし、または、認証課金処理を要求したり、結果を表示したりするような一部のＡＡＡ機能だけをサポートしたものであってもよい。
【００７２】
また、上記においては、商店の認証課金情報は、ＡＡＡｙサーバ１０３２で管理する場合で説明したが、ＡＡＡｙサーバ１０３２は、ＡＡＡＨサーバ１０１２と同一サーバである場合もあるし、また、ＡＡＡＦサーバ１０２２と同一サーバである場合もある。
【００７３】
また、上記においては、商店の端末１０３０は、ＡＡＡｙサーバ１０３２と同一サーバである場合もある。
【００７４】
また、商店側の端末１０３０は、移動端末の場合もある。この場合、商店の端末１０３０は、端末１０３０と同様のＭｏｂｉｌｅ  ＩＰ機能や、ＡＡＡ機能を持つことになる。
【００７５】
次に、図１４、図１５を参照しながら、認証課金サービスや認証課金要求／応答の一例（課金情報取得サービス）について説明する。図１４は、図１から認証課金サービスに関係する部分を抜き出して記述したものである（図１４では、移動端末１０１０からＡＡＡＦサーバ１０２２を経由せずにＡＨサーバ１０１２に要求がなされる場合を示している）。図１５は、認証課金サービスの手順の一例である。
【００７６】
図１４は、課金情報が端末１０３０端末にある場合の例で、移動端末１０１０が、端末１０３０に対し、課金情報（購入する商品の代金に関する情報）の送付を要求し、該端末１０３０から、課金情報が移動端末１０１０へ送られるまでを示したものである。
【００７７】
まず、移動端末１０１０は、課金情報を入手するため、ＡＡＡＨサーバ１０１２に対して、課金情報の入手を（要求パケットによって）要求する（Ｓ２０１）。
【００７８】
移動端末１０１０が端末１０３０に対して直接に課金情報の送付を要求するようにしてもよいが、ここでは、課金情報の転送に認証・暗号化を行うことを想定しているので、課金情報に対して認証データを付加したり暗号化を施したりするためには、移動端末１０１０と端末１０３０との間で予め秘密鍵を共有しておくかまたは公開鍵を交換することが必要である。ＩＫＥ（Ｉｎｔｅｒｎｅｔ  Ｋｅｙ  Ｅｘｃｈａｎｇｅ、ＲＦＣ２４０９）あるいはＩＳＡＫＭＰ（Ｉｎｔｅｒｎｅｔ  Ｓｅｃｕｒｉｔｙ  Ａｓｓｏｃｉａｔｉｏｎ  ａｎｄ  Ｋｅｙ  Ｍａｎａｇｅｍｅｎｔ  Ｐｒｏｔｏｃｏｌ、ＲＦＣ２４０８）を用いれば、目的を達成することができるが、ここでは、移動端末１０１０の機能をなるべく小さくすることを考え、移動端末１０１０には、ＩＫＥといった鍵交換プロトコルの機能がない場合を想定する。移動端末１０１０とＡＡＡＨサーバ１０１２との間は予め秘密鍵または公開鍵を共有しておいたりすることが可能なので、移動端末１０１０とＡＡＡＨサーバ１０１２との間の通信は、前記した鍵とＩＰＳｅｃ（ＩＰ  ｓｅｃｕｒｉｔｙ、ＲＦＣ２４０１−２４０５）を使えば、認証データを付加したり、暗号化したりすることができ、安全にデータ通信を行うことができる。
【００７９】
次に、ＡＡＡＨサーバ１０１２は、ＡＡＡｙサーバ１０３２に対して、課金情報の送付を（要求パケットによって）要求する（Ｓ２０２）。
【００８０】
ＡＡＡＨサーバ１０１２が端末１０３０に直接に課金情報の送付を要求するようにしてもよいが、ここでは、ＡＡＡｙサーバ１０３２を経由することを想定しているので、ＡＡＡＨサーバ１０１２は、課金情報の送付をＡＡＡｙサーバ１０３２に要求するものとする。この要求パケットに対しても、認証データを付加したり、暗号化するために、ＡＡＡＨサーバ１０１２は、まず、ＩＫＥ等を用いて、ＡＡＡｙサーバ１０３２との間の秘密鍵または公開鍵の交換を行い、入手した鍵を用いて、ＩＰＳｅｃを使えば、安全にデータ通信を行うことができる。
【００８１】
次に、ＡＡＡｙサーバ１０３２は、ＡＡＡＨサーバ１０１２から、課金情報の送付要求のパケットを受信した場合、この送付要求のパケットを、端末１０３０に転送する（Ｓ２０３）。
【００８２】
ＡＡＡｙサーバ１０３２と端末１０３０との間のデータ転送に関しては、ＩＫＥ等を用いて、動的に、秘密鍵または公開鍵を交換してもよいが、予めＡＡＡｙサーバ１０３２と端末１０３０との間で秘密鍵または公開鍵を共有しておくことも可能なので、ここでは、予め共有していた秘密鍵または公開鍵を用いて、ＩＰＳｅｃを使用して、認証データを付加したり、暗号化したりしてデータ通信を行うことを想定する。
【００８３】
次に、端末１０３０は、課金情報の送付要求のパケットを受信した場合、該当する課金情報のパケットを、ＡＡＡｙサーバ１０３２に転送する（Ｓ２０４）。
【００８４】
このデータ転送において、前記したように、予め共有していた秘密鍵または公開鍵を使って、ＩＰＳｅｃを使用して、認証データを付加したり、暗号化したりすれば、安全にデータ通信を行うことができる。
【００８５】
次に、ＡＡＡｙサーバ１０３２は、端末１０３０から課金情報のパケットを受け取った場合、これを、ＡＡＡＨサーバ１０１２に転送する（Ｓ２０５）。
【００８６】
このデータ転送においては、上記のＳ２０２のデータ転送を行う際に得られた秘密鍵または公開鍵を用いてもよいし、新たにＩＫＥ等を用いて、動的に、秘密鍵または公開鍵の交換を行って得られた鍵を用いて、ＩＰＳｅｃを使用して、認証データを付加したり、暗号化したりしてもよい。
【００８７】
そして、ＡＡＡＨサーバ１０１２は、転送されてきた課金情報のパケットを、移動端末１０１０に転送する（Ｓ２０６）。
【００８８】
このデータ転送に対しては、上記したように、予め移動端末１０１０とＡＡＡＨサーバ１０１２との間で共有していた、秘密鍵または公開鍵を用いれば、安全なデータ転送を行うことができる。
【００８９】
なお、課金情報は、端末１０３０に対応するＡＡＡｙサーバ１０３２にあってもよい。この場合には、例えば、Ｓ２０３とＳ２０４が行わないか、あるいはＡＡＡｙサーバ１０３２から端末１０３０へ、課金情報を端末１０３０へ提供した旨の通知を行うようにすればよい。
【００９０】
次に、図１６、図１７を参照しながら、認証課金サービスや認証課金要求／応答の他の例（決済処理サービス）について説明する。図１６は、図１から認証課金サービスに関係する部分を抜き出して記述したものである（図１６では、移動端末１０１０からＡＡＡＦサーバ１０２２を経由せずにＡＨサーバ１０１２に要求がなされる場合を示している）。図１７は、認証課金サービスの手順の他の例である。
【００９１】
図１６は、ＡＡＡｙサーバ１０３２との間で支払いのための手続きが行われる場合（例えば、端末１０３０が商店にあり、ＡＡＡｙサーバ１０３２が支払い代行会社にある）の例で、移動端末１０１０から、ＡＡＡｙサーバ１０３２に対し、課金情報をもとに支払いが行われ、支払い通知が端末１０３０に通知されるとともに、支払い確認情報が、移動端末１０１０へ送られるまでを示したものである。
【００９２】
まず、移動端末１０１０は、例えば上記のＳ２０６で得られた課金情報に基づいて、ＡＡＡＨサーバ１０１２からＡＡＡｙサーバ１０３２に電子決済を行うため、ＡＡＡＨサーバ１０１２に対して、支払い要求を（要求パケットによって）送付する（Ｓ２０７）。
【００９３】
上記したように、移動端末１０１０とＡＡＡＨサーバ１０１２との間で予め共有されている秘密鍵または公開鍵を用いて、ＩＰＳｅｃを使って、認証データを付加したり、暗号化すれば、安全なデータ転送を行うことができる。
【００９４】
次に、ＡＡＡＨサーバ１０１２は、移動端末１０１０から支払い要求のパケットを受信した場合、該当するＡＡＡｙサーバ１０３２に対して、電子決済を行う。例えば、料金データベース記憶部１２０２に必要な情報を記録する。
【００９５】
そして、ＡＡＡＨサーバ１０１２は、ＡＡＡｙサーバ１０３２に対して、支払に関する情報のパケットを送信する（Ｓ２０８）。
【００９６】
このデータ転送において、上記したように、動的に、ＩＫＥ等を用いて秘密鍵または公開鍵を交換してもよいし、上記のＳ２０２またはＳ２０５で得られた秘密鍵または公開鍵を用いてもよい。これらの鍵とＩＰＳｅｃを使用して、認証データを付加したり、暗号化すれば、安全なデータ転送を行うことができる。
【００９７】
次に、ＡＡＡｙサーバ１０３２は、ＡＡＡＨサーバ１０１２から支払に関する情報を受信した場合、端末１０３０に対し、支払いがあったことを通知するパケットを送信する（Ｓ２０９）。
【００９８】
このデータ転送においては、ＩＫＥを用いて、動的に、秘密鍵または公開鍵を交換してもよいし、または上記のＳ２０３で得られた鍵を用いてもよいし、または、ＡＡＡｙサーバ１０３２と端末１０３０との間で予め共有されている秘密鍵または公開鍵を用いてもよい。適当な鍵を用い、ＩＰＳｅｃを使用して、認証データを付加したり、暗号化することによって、安全なデータ転送を行うことができる。
【００９９】
これとともに、ＡＡＡｙサーバ１０３２は、ＡＡＡＨサーバ１０１２に支払い確認応答パケットを送る（Ｓ２１０）。このデータ転送においては、ＩＫＥを用いて、動的に、秘密鍵または公開鍵を交換してもよいし、または上記のＳ２０５で得られた鍵を用いてもよい。適当な鍵を用い、ＩＰＳｅｃを使用して、認証データを付加したり、暗号化することによって、安全なデータ転送を行うことができる。
【０１００】
そして、ＡＡＡＨサーバ１０１２は、ＡＡＡｙサーバ１０３２から支払い確認応答パケットを受信した場合、これを、移動端末１０１０へ転送する（Ｓ２１１）。
【０１０１】
このデータ転送においては、ＡＡＡＨサーバ１０１２と移動端末１０１０との間で、予め共有されている秘密鍵または公開鍵を用い、ＩＰＳｅｃを使用して、認証データを付加したり、暗号化することによって、安全なデータ転送を行うことができる。
【０１０２】
なお、端末１０３０のユーザに料金を支払う方法としては、例えば、（１）ＡＡＡＨサーバ１０１２の料金データベース記憶部１２０２で、移動端末１０１０のユーザに対して（＋Ｘ）円の課金を記録した場合に、ＡＡＡｙサーバ１０３２の料金データベース記憶部（図示せず）で、端末１０３０のユーザに対して（−Ｘ）円の課金を記録する方法（課金額が正の値になった場合には、通信料金として徴収を行うが、課金額が負の値になった場合には、支払を行う）や、（２）ＡＡＡＨサーバ１０１２の料金データベース記憶部１２０２で、移動端末１０１０のユーザに対して（＋Ｘ）円の課金を記録した場合に、ＡＡＡｙサーバ１０３２の料金データベース記憶部（図示せず）は利用せずに、端末１０３０のユーザに対しては、システム外でＸ円の支払を代行する方法など、種々の方法がある。
【０１０３】
次に、ＡＡＡＨサーバ１０１２は、移動端末１０１０から支払い要求のパケットを受信した場合、該当するＡＡＡｙサーバ１０３２に対して、電子決済を行う。例えば、料金データベース記憶部１２０２に必要な情報を記録する。
【０１０４】
また、支払い手続きは、移動端末１０１０と端末１０３０との間で行われる場合（端末１０３０がＡＡＡサーバ機能を持つ場合）も可能である。この場合には、ＡＡＡＨサーバ１０１２から端末１０３０へ支払通知ではなく支払要求が渡され、ＡＡＡＨサーバ１０１２ではなく端末１０３０で決済処理が行われ、端末１０３０からＡＡＡＨサーバ１０１２へ支払確認応答パケットが渡される。
【０１０５】
以上、２つの例を示したが、それら以外にも認証課金サービスや認証課金要求／応答の種々のバリエーションが可能である。
【０１０６】
例えば、Ｓ２０７で移動端末１０１０からＡＡＡＨサーバ１０１２に支払い要求を送った後に、ＡＡＡＨサーバ１０１２は、決済処理を行う前に、移動端末１０１０へ確認要求を送り、移動端末１０１０ではＯＫまたは取消を確認するコメントを表示し、ユーザがＯＫを入力したならば肯定応答を、取消を入力したならば否定応答をＡＡＡＨサーバ１０１２へ返し、ＡＡＡＨサーバ１０１２は肯定応答を受けたときにはじめて決済処理を行うようにしてもい。
【０１０７】
また、支払手続きが完了した後であっても、例えば移動端末１０１０のユーザが端末１０３０の事業者に対して解除権等を持つ場合であって、その解除等をシステムでサポートする場合には、図１６と同様の手順で、移動端末１０１０から支払手続きのキャンセルを要求し、ＡＡＡＨサーバ１０１２でキャンセルの手続きを行い、ＡＡＡｙサーバ１０３２や端末１０３０へ通知するなどの処理を行うことも可能である。
【０１０８】
なお、図１の例は、端末１０３０は固定端末であり、かつ、移動端末１０１０のホームネットワークと端末１０３０の属するネットワークとは異なり、かつ、移動端末１０１０が端末１０３０の属するネットワークとは異なるネットワークに移動する場合を例にとったものであったが、その他の場合ももちろん可能である。
【０１０９】
例えば、移動端末１０１０が端末１０３０の属するネットワークに移動した場合に、ＡＡＡＦサーバとＡＡＡＹサーバが同一のサーバになる場合がある（異なるサーバである場合もある）。
【０１１０】
また、移動端末１０１０のホーム・ネットワークと端末１０３０の属するネットワークとが等しい場合に、ＡＡＡＨサーバとＡＡＡＹサーバが同一のサーバになる場合がある（異なるサーバである場合もある）。
【０１１１】
また、端末１０３０も移動端末である場合には、例えば、図１８のようなネットワーク構成になる。この場合には、端末１０３０に対応する各装置の動作は、基本的には、移動端末１０１０に対応する各装置と同様である。
【０１１２】
なお、移動端末１０１０と端末１０３０とが同一のサブネットに移動し、そのサブネットのフォーリン・エージェントとＡＡＡＦサーバが、移動端末１０１０と端末１０３０の両方を処理対象とすることになる場合もある。
【０１１３】
また、端末１０３０が移動端末１０１０のホーム・ネットワークに移動し、移動端末１０１０に対するＡＡＡＦサーバと端末１０３０に対するＡＡＡＨサーバとが同一のサーバになる場合がある（異なるサーバである場合もある）。
【０１１４】
また、移動端末１０１０のホーム・ネットワークと、端末１０３０のホーム・ネットワークとが同一である場合もある。
【０１１５】
なお、ホーム・エージェントとフォーリン・エージェントが設置されたサブネットワークでは、ホーム・エージェントとフォーリン・エージェントとが、同一のサーバである場合と、独立した異なるサーバである場合とがある。
【０１１６】
本実施形態によれば、例えば、ユーザが買い物をして代金をクレジットで払うような場合、移動端末上のＡＡＡ機能（ＡＡＡＭ）を用いれば、例えば、ホームネットワーク上のＡＡＡ機能（ＡＡＡＨ）に対して、認証課金処理を要求することができ、ホームネットワーク上のＡＡＡ機能（ＡＡＡＨ）から、所望のＡＡＡ機能に対して、代金の支払い処理を行うことができ、移動端末をクレジット・カードとして使うことができる。
【０１１７】
なお、以上では、本発明を電子決済に関する手続きに適用した場合を例にとって説明したが、もちろん、本発明は、種々の処理あるいは手続きに適用可能である。
以下、その他の例を列挙する。
・移動端末上のＡＡＡ機能を用いて、ＡＡＡＨサーバ内に管理されている通話課金情報の表示。
・第３者による、通話料金の代行支払（移動端末が、広告主に第１の要求を送り、移動端末が広告を見終わった時点で、広告主が応答を返し、広告を見た見返りに、移動端末がその次に通話する代金の一部または全部を該広告主が負担するサービスなど）。
・クレジット通話（移動端末が、クレジット会社等に第１の要求を送り、顧客の認証ができた場合、移動端末がその次に通話する代金を、クレジット会社等が代行決済するサービスなど）。
【０１１８】
本実施形態によれば、移動端末において、種々の目的でＭｏｂｉｌｅ  ＩＰプロトコルに従う移動端末装置が所定のＡＡＡプロトコルに従うＡＡＡサーバによる認証課金サービスを利用することができるようになる。
【０１１９】
（第２の実施形態）
次に、本発明の第２の実施形態について説明する。
【０１２０】
図１９に、本実施形態に係るモバイルＩＰ電話システムの構成例を示す。
【０１２１】
ユーザ端末２００１上に表示されるＷＷＷページ２００２に、アイコン２０２１を設け、そのアイコン２０２１のＵＲＬを、例えば、
ｓｉｐｐ：／／ｈｏｓｔ．ｎｅｔｗｏｒｋ．ｃｏｍ、
または、
ｈ３２３ｐ：／／ｈｏｓｔ．ｎｅｔｗｏｒｋ．ｃｏｍ
のように登録しておく。
【０１２２】
ユーザ端末２００１のユーザによって、アイコン２０２１が指示（例えば、クリックあるいはダブルクリックなど）された場合に、これを契機としてユーザ端末２００１上で、例えばＳＩＰ（Ｓｅｓｓｉｏｎ  Ｉｎｉｔｉａｔｉｏｎ  Ｐｒｏｔｏｃｏｌ、ＲＦＣ−２５４３）またはＩＴＵ−Ｔ  Ｈ．３２３などを使用した呼制御プログラムが起動し、この例では“ｈｏｓｔ．ｎｅｔｗｏｒｋ．ｃｏｍ”というホスト名を持つＩＰ端末に対して、ＩＰ電話をかけるための呼接続要求パケットを送信する。ＩＰ電話を使うことによって、ＷＷＷページを参照しながら、ＩＰ電話で話すことが可能である。
【０１２３】
Ｍｏｂｉｌｅ  ＩＰを使用する移動ＩＰ端末についても、アイコン２０２１に該移動ＩＰ端末のホスト名もしくはＩＰアドレスもしくはＮＡＩ（Ｎｅｔｗｏｒｋ  Ａｃｃｅｓｓ  Ｉｄｅｎｔｉｆｉｅｒ）等を含んだＵＲＬを登録しておく。この場合、このようなアイコン２０２１を含んだＷＷＷページ２００１を閲覧したユーザが、アイコン２０２１をクリックなどすると、呼接続要求パケットは移動ＩＰ端末のホームネットワークのホームＩＰアドレスへ一端転送され、以降は、Ｍｏｂｉｌｅ  ＩＰの機能によって、移動端末がホーム・ネットワークにいる場合でも、移動先のネットワークにいる場合でも、該呼接続要求パケットは移動端末に転送されるので、該移動端末に対してＩＰ電話の呼制御処理をすることができる。
【０１２４】
もちろん、ＷＷＷページ２００１は、登録したい端末に対応していくつでも設けることが可能である。また、１つのＷＷＷページ２００１に表示するアイコン２０２１は、登録したい端末に対応していくつでも設けることが可能である。また、アイコン２０２１に、対応する端末のユーザに関する情報（例えば、ユーザの顔等の画像、あるいはユーザを写した動画像、あるいはユーザ以外の何らかの静止画や動画像、または文字情報等）を表示することも可能である。
【０１２５】
ところで、ＷＷＷページのアイコンを見ただけでは移動端末の状態がわからず、実際にＩＰ電話をかけなければ移動端末の状態がわからないようでは不便である。例えば、移動端末がどのネットワークにも接続されていない場合や、移動端末の電源が入っていない場合には、ユーザ端末から移動端末へＩＰ電話をかけてもつながるわけはないが、実際にＩＰ電話をかけてみてはじめてそのような状態がわかるのでは不便である。
【０１２６】
そこで、本実施形態では、ＷＷＷページ２００２のアイコン２０２１を見ただけで、移動端末の状態がわかるようにしている。本実施形態では、この機能は、ＡＡＡプロトコルが採用されていない場合にはホーム・エージェント２００５（ＡＡＡプロトコルが採用されている場合には、当該移動端末の移動後の最初の移動登録要求ではＡＡＡＨ（ＡＡＡ  Ｈｏｍｅ）サーバ２００６、それ以降の登録更新のための移動登録要求では、ホーム・エージェント２００５）を利用して実現している。
【０１２７】
図２０に、この場合のホーム・エージェント２００５またはＡＡＡＨサーバ２００６の処理手順の一例を示す。
【０１２８】
Ｍｏｂｉｌｅ  ＩＰの移動端末２００７から、移動登録要求（ｒｅｇｉｓｔｒａｔｉｏｎ  ｒｅｑｕｅｓｔ）が送られてきた場合（ステップＳ２００１）、ホーム・エージェント２００５またはＡＡＡＨサーバ２００６は、送られてきた移動登録要求をチェックし、要求を受け入れることができる場合には、対応する移動端末２００７の管理情報を更新し、移動端末２００７に対し、移動登録応答パケットを送り返すとともに、予め登録されたＷＷＷサーバ２００４に、更新した移動端末２００７の状態情報を通知する（ステップＳ２０１１）。
【０１２９】
この通知される状態情報には、移動端末２００７がホーム・ネットワークにいるという状態（ステップＳ２００３でＹｅｓ）と、移動先のネットワークにいるという状態（ステップＳ２００３でＮｏ）等がある。
【０１３０】
また、Ｍｏｂｉｌｅ  ＩＰプロトコルにより、移動先のネットワークにいる場合は、生存時間（ＬｉｆｅＴｉｍｅ）が通知され、生存時間内に更新の移動登録要求を受信した場合（ステップＳ２００２でＮｏ）は、ホーム・エージェント２００５またはＡＡＡＨサーバ２００６は、移動端末２００７が同じ移動先のネットワークにいるとみなすが、生存時間内に更新の移動登録要求を受信しなかった場合（ステップＳ２００２でＹｅｓ）は、移動端末がＩＰネットワークから離れたと判断し（ステップＳ２０１０）、ＷＷＷサーバには、移動端末の状態を「圏外」と通知する。
【０１３１】
また、Ｍｏｂｉｌｅ  ＩＰプロトコルの新しい拡張機能、例えば、ｖｅｎｄｏｒ  ｅｘｔｅｎｓｉｏｎ等を使って、移動端末２００７上のユーザがＩＰ電話で通話中のときに通話中という状態情報を送ることができる場合には、ホーム・エージェント２００５またはＡＡＡＨサーバ２００６は、移動端末２００７が通話中ならば（ステップＳ２００４，Ｓ２００７でＹｅｓ）、「通話中である」という状態情報を（ステップＳ２００６，Ｓ２００９）、移動端末２００７が通話中でないならば（ステップＳ２００４，Ｓ２００７でＮｏ）、「通話中でない」という状態情報を（ステップＳ２００５，Ｓ２００８）、予め登録されたＷＷＷサーバ２００４に区別して通知することができる。
【０１３２】
上記した移動端末２００７の「ホーム」、「移動先のネットワーク」、「圏外」、「話中」等の状態情報を受け取ったＷＷＷサーバ２００４は、該当するＷＷＷページ２００２の該当するアイコン２０２１の形状等を、予め各状態に対応して登録された形状等に変更することによって、移動端末２００７以外の端末のユーザが、対応するＷＷＷページ２００４をダウンロードした際、ＷＷＷページ２００２上のアイコン２０２１の形状等を見ることによって、移動端末２００７の状態を知ることができる。
【０１３３】
上記した例では、ホーム・エージェント２００５またはＡＡＡＨサーバ２００６が、移動端末２００７の状態情報を、予め登録されたＷＷＷサーバ２００４に通知する場合を例にとって説明したが、もちろん、他の方法も可能である。例えば、該当するＷＷＷページ２００２の全部または一部のアイコン２０２１の画像ファイルの格納先を、該当するホーム・エージェント２００５またはＡＡＡＨサーバ２００６としておけば、ＷＷＷページ２００２のダウンロード時に、該当するアイコン２０２１については、ＷＷＷサーバ２００４からではなく、ホーム・エージェント２００５またはＡＡＡＨサーバ２００６から、当該画像ファイルが転送されることになり、ホーム・エージェント２００５またはＡＡＡＨサーバ２００６からＷＷＷサーバ２００４へ、移動端末２００７の状態情報を通知する手間を省くことができる。
【０１３４】
また、上記した例では、ＷＷＷページ２００２のダウンロード時に、移動端末２００７の状態に対応したアイコンの形状等が、送られるという場合を例にとって説明したが、もちろん、他の方法も可能である。例えば、一定時間ごとに、ＷＷＷページ２００２のアイコン２０２１の画像ファイルを再度ダウンロードするようにしたり、または、移動端末２００７の状態が更新された場合に、該当するアイコン２０１２の画像ファイルを送ったりすることによって、移動端末２００７の状態が変化するごとにＷＷＷページ２００２を再度ダウンロードしてアイコン２０２１の形状を移動端末２００７の更新された状態に対応する形状に変化させるような手順を行わなくても済ませることができる。
【０１３５】
なお、上記した例では、ＩＰ電話というアプリケーションを想定して、移動端末の状態情報を他のユーザに伝えることを目的としたが、本発明の手法をパケット転送やその他のアプリケーションにも応用することが可能である。例えば、移動端末の状態を管理する管理プログラムや、バーチャル・オフィスに属するメンバの在席状態を管理する管理プログラムに応用することができる。
【０１３６】
本実施形態によれば、例えば、ユーザは、該当するＷＷＷページのアイコンの形状を見れば、通信したい相手の状態を知ることができ、例えば、相手端末がネットワークにつながっていない場合、アイコンの形状を見れば、つながっていないことがわかるので、わざわざ電話をかける手間が省けるといったメリットがある。
【０１３７】
（第３の実施形態）
次に、本発明の第３の実施形態について説明する。
【０１３８】
図２１（ａ）に、本実施形態における送信元となる端末の処理手順（呼接続時の確認アルゴリズム）の一例を示す。また、図２１（ｂ）に、本実施形態における相手（宛先）となる端末の処理手順（呼接続時の確認アルゴリズム）の一例を示す。
【０１３９】
送信元となる端末は、通話したい端末（あるいは端末およびユーザ）のものとして取得したＩＰアドレスの端末にＩＰ電話の呼接続要求を送信するのに先だって、当該ＩＰアドレスの端末に対して、当該ＩＰアドレスの端末（あるいは端末およびユーザ）が確かに通話したい端末（あるいは端末およびユーザ）と同一のものかどうかを確認するために、宛先となる端末のホスト名（あるいはホスト名およびユーザ名）を確認する確認パケットを送信する（ステップＳ３００１）。
【０１４０】
この確認パケットを受信した端末は（ステップＳ３０１１）、確認パケット内に含まれるホスト名（あるいはホスト名およびユーザ名）と、自端末のホスト名（あるいはホスト名およびその時点で自端末を使用しているユーザのユーザ名）とが一致しているかどうかチェックし、一致している場合には（ステップＳ３０１２）、確認ＯＫパケットを送り返す（ステップＳ３０１３）。一方、一致していない場合には（ステップＳ３０１２）、確認ＮＧパケットを送り返す（ステップＳ３０１４）。
【０１４１】
先の確認パケットに対する応答パケットを受信した送信元の端末は（ステップＳ３００２）、応答パケットが確認ＯＫパケットであるかまたは確認ＮＧパケットであるかチェックし、確認ＯＫパケットならば（ステップＳ３００３）、ＩＰ電話のかけるための呼接続処理へと処理を進める（ステップＳ３００４）。一方、確認ＮＧパケットならば（ステップＳ３００３）、呼接続処理へと進まず、エラー処理を実行する（ステップＳ３００５）。
【０１４２】
例えば、図２２（ａ）のように相手が確かにユーザ端末３００１の通話したい移動端末（Ｍｏｂｉｌｅ  ＩＰプロトコルに従う移動端末）３００２（ホスト名＝Ａ、ユーザ名＝Ｘとする）であったとすると、ユーザ端末３００１は、移動端末３００２に、ホスト名＝Ａおよびユーザ名＝Ｘを含む確認パケットを送信し、該確認パケットを受信した移動端末３００２は、該確認パケット内に含まれるホスト名＝Ａおよびユーザ名＝Ｘと、自端末のホスト名＝Ａおよびユーザ名＝Ｘとを比較し、それらが一致しているので確認ＯＫパケットを送り返し、該確認ＯＫパケットを受信したユーザ端末３００１は、ＩＰ電話のかけるための呼接続処理へと処理を進める。
【０１４３】
また、例えば、図２２（ｂ）のように、ユーザ端末３００１の通話したい移動端末３００２が移動した後であって、相手は移動端末３００２とは異なる移動端末３００３（ホスト名＝Ｂ、ユーザ名＝Ｙとする）であったとすると、ユーザ端末３００１は、移動端末３００３に、ホスト名＝Ａおよびユーザ名＝Ｘを含む確認パケットを送信し、該確認パケットを受信した移動端末３００２は、該確認パケット内に含まれるホスト名＝Ａおよびユーザ名＝Ｘと、自端末のホスト名＝Ｂおよびユーザ名＝Ｙとを比較し、それらが一致していないので確認ＮＧパケットを送り返し、該確認ＮＧパケットを受信したユーザ端末３００１は、エラー処理を実行する。
【０１４４】
一般的に、ＩＰ電話の宛先としては、ＩＰアドレス、ホスト名、ホスト名とユーザ名を含んだＮＡＩ（Ｎｅｔｗｏｒｋ  Ａｃｃｅｓｓ  Ｉｄｅｎｔｉｆｉｅｒ）等が可能である。ただし、宛先の端末がＤＨＣＰでＩＰアドレスを取得しているような場合には、宛先を確認するための情報としては、ＩＰアドレスは適当ではない。また、相手の端末を使っているユーザが複数いる場合には、相手を確認する情報としては、ユーザ名を含んだＮＡＩのような情報が望ましい。
【０１４５】
また、上記したように、相手を確認した後に、呼接続処理へと進むが、呼接続処理中に、移動端末が移動してしまう場合もあるので、そのような場合に不都合が生じるシステムにおいては、呼接続処理中のパケットにも、相手を確認するための識別情報を入れておくと好ましい。この場合の一例としては、上記確認要求パケットもしくは確認ＯＫパケットにＩＤ番号を入れておき、以降の呼接続処理パケットにも同一のＩＤ番号を使い、受信端末側では該ＩＤ番号をチェックすることによって、確認の取れた端末との間の呼接続処理であることを保証することができる。
【０１４６】
また、上記した例においては、確認情報として、ホスト名（あるいは、ホスト名およびユーザ名）をチェックする場合を例にとって説明したが、公開鍵情報を用い、あるいは認証局を併用するなどして、相手の端末やユーザの認証を行うようにしてもよい。
【０１４７】
なお、上記した例では、ＩＰ電話というアプリケーションを想定して、移動端末の状態情報を他のユーザに伝えることを目的としたが、本発明の手法をパケット転送やその他のアプリケーションにも応用することが可能である。
【０１４８】
本実施形態によれば、呼設定処理を行う前に、相手端末が、本当に通信したい端末かどうか、ホスト名（とユーザ名）で確認するので、従来の方法による問題点のような、相手端末が移動端末の場合で、相手端末が移動してしまって、他の端末がたまたま同じＩＰアドレスを使っていて、違う端末に呼設定処理を開始してしまうといったことを回避することができる。
【０１４９】
なお、以上の各機能は、ソフトウェアとして実現可能である。
また、各実施形態は、コンピュータに所定の手段を実行させるための（あるいはコンピュータを所定の手段として機能させるための、あるいはコンピュータに所定の機能を実現させるための）プログラムとして実施することもでき、該プログラムを記録したコンピュータ読取り可能な記録媒体として実施することもできる。
【０１５０】
なお、各実施形態で例示した構成は一例であって、それ以外の構成を排除する趣旨のものではなく、例示した構成の一部を他のもので置き換えたり、例示した構成の一部を省いたり、例示した構成に別の機能を付加したり、それらを組み合わせたりすることなどによって得られる別の構成も可能である。また、例示した構成と論理的に等価な別の構成、例示した構成と論理的に等価な部分を含む別の構成、例示した構成の要部と論理的に等価な別の構成なども可能である。また、例示した構成と同一もしくは類似の目的を達成する別の構成、例示した構成と同一もしくは類似の効果を奏する別の構成なども可能である。
また、各実施形態において、各種構成部分についての各種バリエーションは、適宜組み合わせて実施することが可能である。
また、各実施形態は、個別装置としての発明、関連を持つ２以上の装置についての発明、システム全体としての発明、個別装置内部の構成部分についての発明、またはそれらに対応する方法の発明等、種々の観点、段階、概念またはカテゴリに係る発明を包含・内在するものである。
従って、この発明の実施の形態に開示した内容からは、例示した構成に限定されることなく発明を抽出することができるものである。
【０１５１】
本発明は、上述した実施の形態に限定されるものではなく、その技術的範囲において種々変形して実施することができる。
【０１５２】
【発明の効果】
本発明によれば、移動端末装置において、種々の目的でＭｏｂｉｌｅ  ＩＰプロトコルに従う移動端末装置が所定のＡＡＡプロトコルに従うＡＡＡサーバ装置による認証課金サービスを利用することができるようになる。
【図面の簡単な説明】
【図１】本発明の第１の実施形態に係る通信システムのネットワーク構成例を示す図
【図２】同実施形態に係る移動端末の構成例を示す図
【図３】同実施形態に係るＡＡＡＨサーバの構成例を示す図
【図４】同実施形態に係る料金データベース記憶部に記憶される料金データベースの構成例を示す図
【図５】同実施形態に係るＡＡＡＦサーバの構成例を示す図
【図６】同実施形態に係る移動端末の要求発生時の手順の一例を示すフローチャート
【図７】同実施形態に係るＡＡＡＨサーバの要求受信時の手順の一例を示すフローチャート
【図８】同実施形態に係るＡＡＡＨサーバが移動端末から所望の認証課金要求パケットを受信した場合の手順の一例を示すフローチャート
【図９】同実施形態に係るＡＡＡＦサーバの移動端末に対する通信料課金処理の手順の一例を示すフローチャート
【図１０】同実施形態に係る移動登録／認証課金について説明するための図
【図１１】同実施形態に係る移動登録／認証課金のためのシーケンスの一例を示す図
【図１２】同実施形態に係るＩＰパケット・フォーマット例を示す図
【図１３】同実施形態に係る認証課金サービスについて説明するための図
【図１４】同実施形態に係る認証課金サービスの一例について説明するための図
【図１５】同実施形態に係る認証課金サービスのためのシーケンスの一例を示す図
【図１６】同実施形態に係る認証課金サービスの他の例について説明するための図
【図１７】同実施形態に係る認証課金サービスのためのシーケンスの他の例を示す図
【図１８】同実施形態に係る通信システムのネットワーク構成の他の例を示す図
【図１９】本発明の第２の実施形態に係るモバイルＩＰ電話システムの構成例を示す図
【図２０】同実施形態に係るホーム・エージェントまたはＡＡＡＨサーバの処理手順の一例を示すフローチャート
【図２１】本発明の第３の実施形態に係る送信元となる端末の処理手順の一例を示すフローチャート
【図２２】同実施形態に係る相手となる端末の処理手順の一例を示すフローチャート
【図２３】従来のＩＰ電話システムについて説明するための図
【符号の説明】
１０００…ネットワーク
１００１〜１００３…サブネットワーク
１０１０…移動端末
１０１１…ホーム・エージェント
１０１２…ＡＡＡＨサーバ
１０２１…フォーリン・エージェント
１０２２…ＡＡＡＦサーバ
１０３０…端末
サーバ１０３２…ＡＡＡｙサーバ
１１０１…Ｍｏｂｉｌｅ  ＩＰ処理部
１１０２…ＡＡＡ処理部
１２０１，１３０１…Ｍｏｂｉｌｅ  ＩＰ／ＡＡＡ処理部
１２０２…料金データベース記憶部
１３０２…パケット情報処理部
２００１，３００１…ユーザ端末
２００２…ＷＷＷページ
２００３…アイコン
２００４…ＷＷＷサーバ
２００５…ホーム・エージェント
２００６…ＡＡＡＨサーバ
２００７，３００２，３００３…移動端末
【図１】
0003639208.tif 000002
【図２】
0003639208.tif 000003
【図３】
0003639208.tif 000004
【図４】
0003639208.tif 000005
【図５】
0003639208.tif 000006
【図６】
0003639208.tif 000007
【図７】
0003639208.tif 000008
【図８】
0003639208.tif 000009
【図９】
0003639208.tif 000010
【図１０】
0003639208.tif 000011
【図１１】
0003639208.tif 000012
【図１２】
0003639208.tif 000013
【図１３】
0003639208.tif 000014
【図１４】
0003639208.tif 000015
【図１５】
0003639208.tif 000016
【図１６】
0003639208.tif 000017
【図１７】
0003639208.tif 000018
【図１８】
0003639208.tif 000019
【図１９】
0003639208.tif 000020
【図２０】
0003639208.tif 000021
【図２１】
0003639208.tif 000022
【図２２】
0003639208.tif 000023
【図２３】
0003639208.tif 000024